(57)【要約】【課題】  ２種類の衛星中間周波信号を増幅する際に、衛星中間周波信号ごとに増幅器を設ける必要がなく、設置工事を容易にする。【解決手段】  １つの筐体に設けられた第１及び第２の増幅手段２６ａ、２６ｂが、周波数帯が少なくとも一部重複している２波の衛星信号を周波数変換手段が周波数変換した、ほぼ同一周波数帯の２波の衛星中間周波信号をそれぞれ増幅し、これら２波の衛星中間周波信号のうち選択したものを複数に出力する衛星信号切換器２８に、供給する。【選択図】        図１
2004229320.tif 000002
【特許請求の範囲】
【請求項１】
１つの筐体と、
この筐体内に設けられ、周波数帯が少なくとも一部重複している２波の衛星信号を、周波数変換手段が周波数変換した、ほぼ同一周波数帯の２波の衛星中間周波信号をそれぞれ増幅し、これら２波の衛星中間周波信号のうち選択したものを複数に出力する選択出力手段に、供給する第１及び第２の増幅手段とを、
具備する衛星信号受信システム用増幅器。
【請求項２】
請求項１記載の衛星信号受信システム用増幅器において、前記周波数変換手段を動作させるための直流電圧が前記選択出力手段から供給され、前記周波数変換手段に供給する衛星信号受信システム用増幅器。
【発明の詳細な説明】
【技術分野】
【０００１】
本発明は、例えば放送衛星や通信衛星からの信号を受信して、テレビジョン受像機に分配する衛星信号受信システムにおいて使用する増幅器に関する。
【背景技術】
【０００２】
衛星信号受信システムは、例えば放送衛星や通信衛星からの衛星信号を、各家庭において視聴可能とするために使用される。しかし、或る通信衛星から、異なる偏波であるが、周波数帯が少なくとも一部で重複している少なくとも２波の衛星通信信号を送信し、別の通信衛星から、上記の２波とそれぞれ偏波と周波数帯が同一の少なくとも２波の衛星通信を送信することがある。
【０００３】
また、上記２基の通信衛星からの衛星通信信号をそれぞれ受信するアンテナには、コンバータが付属している。これらコンバータは、アンテナが受信した衛星通信信号を中間周波信号に変換する。しかし、コンバータ内の局部発振器の発振周波数がいずれのコンバータにおいても、同一周波数であるので、各コンバータから出力される各中間周波信号の周波数帯は重複している。従って、同じ伝送線路によって、これら各中間周波信号を各家庭まで伝送した場合、家庭側では、これら各中間周波信号を分離することができない。
【０００４】
そこで、従来、各衛星通信中間周波信号を、それぞれ別の伝送線路を介して各家庭まで伝送する別伝送方式が提案されている。
【発明の開示】
【発明が解決しようとする課題】
【０００５】
しかし、上記の別伝送方式では、アンテナの設置場所から各家庭まで各中間周波信号ごとに伝送線路を設けなければならず、伝送線路の配線が複雑になる上に、高コストとなる。
【０００６】
本発明は、周波数帯が少なくとも一部で重複している衛星からの信号であっても、各家庭まで少ない伝送線路で伝送することができる衛星信号受信システムにおいて使用する増幅器を提供することを目的とする。
【課題を解決するための手段】
【０００７】
上記の課題を解決するために、発明は、１つの筐体内に、第１及び第２の増幅手段を収容している。第１及び第２の増幅手段は、周波数帯が少なくとも一部重複している２波の衛星信号を、周波数変換手段が周波数変換した、ほぼ同一周波数帯の２波の衛星中間周波信号をそれぞれ増幅し、これら２波の衛星中間周波信号のうち選択したものを複数に出力する選択出力手段に、供給する。
【０００８】
本発明によれば、選択出力手段と周波数変換手段との間に、この増幅器を配置するだけで、２波の衛星中間周波信号を増幅することができる。
【発明の効果】
【０００９】
以上のように、本発明による増幅器は、２種類の衛星中間周波信号を出力する周波数変換手段と、選択出力手段との間に設置するだけで、これら２種類の衛星中間周波信号を増幅することができ、一々各衛星中間周波信号ごとに増幅器を設ける必要がなく、設置工事が容易になる。
【発明を実施するための最良の形態】
【００１０】
本発明の１実施の形態の衛星信号受信システムは、衛星放送信号、ＵＨＦ及びＶＨＦの地上波テレビジョン放送信号及び複数の衛星通信信号、または必要に応じてＣＡＴＶ信号を、各家庭において視聴可能とするものである。
【００１１】
この衛星信号受信システムは、図１に示すように衛星放送受信用アンテナ２を有している。この衛星放送受信用アンテナ２は、放送衛星から送信されている衛星放送信号を受信し、これに付属するコンバータ４によって例えば１ＧＨｚ帯の衛星放送中間周波信号に周波数変換する。
【００１２】
また、この衛星信号受信システムは、ＵＨＦ帯及びＶＨＦ帯の地上波テレビジョン放送信号を受信するためのＵ・Ｖアンテナ６も有している。Ｕ・Ｖアンテナ６によって受信されたＵＨＦ帯及びＶＨＦ帯の地上波テレビジョン放送信号と、コンバータ４からの衛星放送中間周波信号とは、混合器８において混合される。この混合出力は、増幅器１０において増幅された後、分配器、例えば４分配器１２に供給され、４分配され、各家庭に設けられている端子１４１、１４２、１４３、１４４に供給されている。なお、地上波テレビジョン放送信号に代えて、ＣＡＴＶ施設から供給されるＣＡＴＶ信号を使用することもできる。
【００１３】
各端子１４１、１４２、１４３、１４４には、端子１４１に代表させて示すように衛星放送受信用チューナ内蔵のテレビジョン受像機１６が接続されている。従って、衛星放送受信用チューナ内蔵のテレビジョン受像機１６によって、衛星放送、地上波テレビジョン放送が視聴できる。
【００１４】
この衛星信号受信システムは、この他に、衛星通信受信用アンテナ１８を有している。このアンテナ１８は、図２に示すように、第１の通信衛星から送信されている例えば１２．４９３ＭＨｚ乃至１２．７３３ＧＨｚの垂直偏波の第１の衛星通信信号ＣＳ１（Ｖ）と、同じく第１の通信衛星から送信されている１２．５０８ＧＨｚ乃至１２．７４８ＧＨｚの水平偏波の第２の衛星通信信号ＣＳ１（Ｈ）とを、受信している。即ち、第１及び第２の衛星通信信号ＣＳ１（Ｖ）とＣＳ１（Ｈ）は、偏波が異なるが、周波数帯が一部重複している。
【００１５】
この第１の衛星通信信号ＣＳ１（Ｖ）は、衛星通信受信用アンテナ１８に付属している第１の周波数変換手段、例えばコンバータ２０によって、１２９３ＭＨｚ乃至１５３３ＭＨｚの第１の衛星通信中間周波信号ＣＳ１−ＩＦ（Ｖ）に周波数変換される。また、第２の衛星通信信号ＣＳ１（Ｈ）も、コンバータ２０によって１３０８ＭＨｚ乃至１５４８ＭＨｚの第２の衛星中間周波信号ＣＳ１−ＩＦ（Ｈ）に周波数変換される。即ち、第１及び第２の衛星中間周波信号ＣＳ１−ＩＦ（Ｈ）、ＣＳ１−ＩＦ（Ｖ）も、その周波数帯が一部重複している。
【００１６】
この衛星信号受信システムは、さらに、衛星通信受信用アンテナ２２も有している。このアンテナ２０は、図２に示すように、第２の通信衛星から送信されている例えば１２．４９３ＭＨｚ乃至１２．７３３ＧＨｚの垂直偏波の第３の衛星通信信号ＣＳ２（Ｖ）と、同じく第２の通信衛星から送信されている１２．５０８ＧＨｚ乃至１２．７４８ＧＨｚの水平偏波の第４の衛星通信信号ＣＳ２（Ｈ）とを、受信している。
【００１７】
即ち、第３及び第４の衛星通信信号ＣＳ２（Ｖ）とＣＳ２（Ｈ）は、偏波が異なるが、周波数帯が一部重複しており、しかも、第３の衛星通信信号ＣＳ２（Ｖ）は、第１の衛星通信信号ＣＳ１（Ｖ）と周波数帯が同一で、かつ偏波が同一である。同様に、第４の衛星通信信号ＣＳ２（Ｈ）は、第２の衛星通信信号ＣＳ１（Ｈ）と周波数帯が同一で、かつ偏波も同一である。
【００１８】
この第３の衛星通信信号ＣＳ２（Ｖ）は、衛星通信受信用アンテナ２０に付属している第２の周波数変換手段、例えばコンバータ２４によって、１２９３ＭＨｚ乃至１５３３ＭＨｚの第３の衛星通信中間周波信号ＣＳ２−ＩＦ（Ｖ）に周波数変換される。また、第４の衛星通信信号ＣＳ２（Ｈ）も、コンバータ２４によって１３０８ＭＨｚ乃至１５４８ＭＨｚの第４の衛星中間周波信号ＣＳ２−ＩＦ（Ｈ）に周波数変換される。即ち、第３及び第４の衛星中間周波信号ＣＳ２−ＩＦ（Ｈ）、ＣＳ２−ＩＦ（Ｖ）も、その周波数帯が一部重複し、かつ第１及び第２の衛星中間周波信号ＣＳ１−ＩＦ（Ｖ）、ＣＳ１−ＩＦ（Ｈ）とそれぞれ同一の周波数帯である。
【００１９】
コンバータ２０、２４は、第１乃至第４の衛星放送信号ＣＳ１（Ｖ）乃至ＣＳ２（Ｈ）に対して同一周波数の局部発振信号を使用しているので、第１乃至第４の衛星中間周波信号の周波数は、上述したような関係になる。
【００２０】
なお、コンバータ２０は、後述するように＋１１Ｖの直流電圧が動作電圧として供給されたとき、第１の衛星通信信号ＣＳ１（Ｖ）を第１の衛星中間周波信号ＣＳ１−ＩＦ（Ｖ）に周波数変換し、＋１５Ｖの直流電圧が動作電圧として供給されたとき、第２の衛星通信信号ＣＳ１（Ｈ）を第２の衛星中間周波信号ＣＳ１−ＩＦ（Ｈ）に周波数変換する。
【００２１】
同様に、コンバータ２４は、＋１１Ｖの直流電圧が動作電圧として供給されたとき、第３の衛星通信信号ＣＳ２（Ｖ）を第３の衛星中間周波信号ＣＳ２−ＩＦ（Ｖ）に周波数変換し、＋１５Ｖの直流電圧が動作電圧として供給されたとき、第４の衛星通信信号ＣＳ２（Ｈ）を第４の衛星中間周波信号ＣＳ２−ＩＦ（Ｈ）に周波数変換する。
【００２２】
コンバータ２０から出力された第１の衛星中間周波信号ＣＳ１−ＩＦ（Ｖ）は、増幅器２６の第１の増幅部２６ａによって増幅され、選択出力手段、例えば衛星信号切換器２８に供給される。また、コンバータ２０から出力された第２の衛星中間周波信号ＣＳ１−ＩＦ（Ｈ）は、増幅器２６の第２の増幅部２６ｂによって増幅され、衛星信号切換器２８に供給される。
【００２３】
同様に、コンバータ２４からの出力された第３の衛星中間周波信号ＣＳ２−ＩＦ（Ｖ）は、増幅器３０の第１の増幅部３０ａによって増幅され、選択出力手段、例えば衛星信号切換器３２に供給される。また、コンバータ２４から出力された第４の衛星中間周波信号ＣＳ２−ＩＦ（Ｈ）は、増幅器３０の第２の増幅部３０ｂによって増幅され、衛星信号切換器３２に供給される。
【００２４】
衛星信号切換器３２は、例えば４つの出力端子を有し、各出力端子にそれぞれ第１または第２の衛星中間周波信号ＣＳ１−ＩＦ（Ｖ）、ＣＳ１−ＩＦ（Ｈ）を出力させるものである。そして、第１及び第２の衛星中間周波信号ＣＳ１−ＩＦ（Ｖ）、ＣＳ１−ＩＦ（Ｈ）のいずれを出力させるかは、出力端子に＋１１Ｖの電圧が供給されているか、＋１５Ｖの電圧が供給されているかによって切り換えられる。衛星信号切換器３２も、例えば４つの出力端子を有し、各出力端子にそれぞれ第３または第４の衛星中間周波信号ＣＳ２−ＩＦ（Ｖ）、ＣＳ２−ＩＦ（Ｈ）を出力させるものである。第３及び第４の衛星中間周波信号ＣＳ２−ＩＦ（Ｖ）、ＣＳ２−ＩＦ（Ｈ）のいずれを出力させるかは、出力端子に＋１１Ｖの電圧が供給されているか、＋１５Ｖの電圧が供給されているかによって切り換えられる。
【００２５】
衛星信号切換器２８、３２の出力端子は、それぞれ対にされて、選択手段、例えばトーン切換器３４１、３４２、３４３、３４４に供給されている。トーン切換器３４１、３４２、３４３、３４４は、衛星信号切換器２８、３２から入力された２波の衛星中間周波信号のうち１波を選択して、１本の伝送線路、例えば同軸ケーブル３６１、３６２、３６３、３６４に供給する。トーン切換器３４１、３４２、３４３、３４４は、それぞれ対応する同軸ケーブル３６１乃至３６４を伝送されている直流電圧に、交番電圧、例えば図３に示すような３２ｋＨｚ乃至５３ｋＨｚのトーン信号が重畳されているか否かによって、一方の衛星中間周波信号を選択して、対応する同軸ケーブル３６１乃至３６４に出力する。
【００２６】
各同軸ケーブル３６１乃至３６４は、各端子１４１乃至１４４と対をなすように各家庭に配置された端子３８１乃至３８４にそれぞれ接続されている。これら各端子３８１乃至３８４は、端子３８１を代表として示すように、レシーバ４０に接続されており、これらレシーバは、各テレビジョン受像機に接続されている。代表としてレシーバ４０が上述したテレビジョン受像機１６に接続されている状態を示す。
【００２７】
これらレシーバ４０は、図３（ａ）に示すように＋１５Ｖまたは＋１１Ｖに３２ｋＨｚ乃至５３ｋＨｚのトーン信号が重畳された電圧または、同図（ｂ）に示すように＋１５Ｖまたは＋１１Ｖの直流電圧を、端子３８１乃至３８４、同軸ケーブル３６１乃至３６４を介して各トーン切換器３４１乃至３４４に供給する。即ち、レシーバ４０は、第１乃至第４の衛星中間周波信号ＣＳ１−ＩＦ（Ｖ）乃至ＣＳ２−ＩＦ（Ｈ）の４波にそれぞれ対応して４種類の電圧を発生する。
【００２８】
例えばレシーバ４０がトーン信号が重畳されている＋１１Ｖの電圧を発生すると、これが同軸ケーブル３６１、トーン切換器３４１に供給される。トーン切換器３４１はトーン信号が重畳されているので、この電圧を、衛星信号切換器２８、増幅器２６を介してコンバータ２０に供給する。
【００２９】
コンバータ２０は、＋１１Ｖの電圧が供給されているので、第１の衛星中間周波信号ＣＳ１−ＩＦ（Ｖ）を出力する。これが増幅器２６の第１の増幅部２６ａを介して衛星信号切換器２８に供給される。衛星信号切換器２８は、＋１１Ｖの電圧がトーン切換器３４１から供給されているので、たとえ第２の衛星中間周波信号ＣＳ１−ＩＦ（Ｈ）が発生していても、第１の衛星中間周波信号ＣＳ１−ＩＦ（Ｖ）をトーン切換器３４１に供給する。
【００３０】
トーン切換器３４１は、同軸ケーブル３６１を介して供給された直流電圧にトーン信号が重畳されているので、衛星信号切換器３２から第３または第４の衛星中間周波信号ＣＳ２−ＩＦ（Ｖ）またはＣＳ２−ＩＦ（Ｈ）が供給されていても、第１の衛星中間周波信号ＣＳ１−ＩＦ（Ｖ）を同軸ケーブル３６１、端子３８１を介してレシーバ４０に供給する。
【００３１】
同様に、＋１５Ｖにトーン信号を重畳した電圧を同軸ケーブル３６１に供給すると、コンバータ２０は第２の衛星中間周波信号ＣＳ１−ＩＦ（Ｈ）を衛星信号切換器２８に供給し、衛星信号切換器２８は、トーン切換器３４１から＋１５Ｖの電圧が供給されているので、第２の衛星中間周波信号ＣＳ１−ＩＦ（Ｈ）をトーン切換器３４１に供給する。トーン切換器３４１は、トーン信号が重畳された電圧が供給されているので、第２の衛星中間周波信号ＣＳ１−ＩＦ（Ｈ）を同軸ケーブル３６１、端子３８１を介してレシーバ４０に供給する。
【００３２】
同様に＋１１Ｖのみの直流電圧を、同軸ケーブル３６１に供給すると、トーン切換器３４１はトーン信号が重畳されていないので、＋１１Ｖのみの直流電圧を衛星信号切換器３２、増幅器３０を介してコンバータ２４に供給する。コンバータ２４は第３の衛星中間周波信号ＣＳ２−ＩＦ（Ｖ）を衛星信号切換器３２に供給し、衛星信号切換器３２は、トーン切換器３４１から＋１１Ｖの電圧が供給されているので、第３の衛星中間周波信号ＣＳ２−ＩＦ（Ｖ）をトーン切換器３４１に供給する。トーン切換器３４１は、トーン信号が重畳されていない電圧が供給されているので、第３の衛星中間周波信号ＣＳ１−ＩＦ（Ｖ）を同軸ケーブル３６１、端子３８１を介してレシーバ４０に供給する。
【００３３】
同様に＋１５Ｖのみの直流電圧を、同軸ケーブル３６１に供給すると、トーン切換器３４１はトーン信号が重畳されていないので、＋１５Ｖのみの直流電圧を衛星信号切換器３２、増幅器３０の第１の増幅部３０ａを介してコンバータ２４に供給する。コンバータ２４は第４の衛星中間周波信号ＣＳ２−ＩＦ（Ｈ）を衛星信号切換器３２に供給し、衛星信号切換器３２は、トーン切換器３４１から＋１５Ｖの電圧が供給されているので、第４の衛星中間周波信号ＣＳ２−ＩＦ（Ｈ）をトーン切換器３４１に供給する。トーン切換器３４１は、トーン信号が重畳されていない電圧が供給されているので、第４の衛星中間周波信号ＣＳ２−ＩＦ（Ｈ）を同軸ケーブル３６１、端子３８１を介してレシーバ４０に供給する。
【００３４】
従って、４種類の電圧のいずれかを同軸ケーブル３６１にレシーバ４０から出力することによって、ほぼ同一の周波数帯である第１乃至第４の衛星中間周波信号ＣＳ１−ＩＦ（Ｖ）乃至ＣＳ２−ＩＦ（Ｈ）のいずれかを、１本の同軸ケーブル３６１を介してレシーバ４０に出力できる。
【００３５】
図４に、衛星信号切換器２８、３２及びトーン切換器３４１乃至３４４からなる信号切換装置１００の詳細なブロック図を示す。
【００３６】
衛星信号切換器２８は、第１の増幅部２６ａを介して供給された第１の衛星中間周波信号ＣＳ１−ＩＦ（Ｖ）を４分配する分配器４０と、第２の増幅部２６ｂを介して供給された第２の衛星中間周波信号ＣＳ１−ＩＦ（Ｈ）を４分配する４分配器４２とを有している。分配器４０の１分配出力と分配器４２の１分配出力とは、切換手段、例えば切換スイッチ４２１の接点４２１ａ、４２１ｂに供給されており、接触子４２１ｃは、トーン切換器３４１に接続されている。接触子４２１ｃは、通常には接点４２１ａ側に接続されている。
【００３７】
この切換スイッチ４２１は、制御部４４１を有し、この制御部４４１は、トーン切換器３４１から供給される電圧が、トーン信号が重畳されている否かにかかわらず、＋１５Ｖであるか＋１１Ｖであるかを検出し、＋１１Ｖの場合、接触子４２１ｃを接点４２１ａ側に接続した状態を維持するが、＋１５Ｖの場合、接触子４２１ｃを接点４２１ｂ側に切り換える。従って、＋１１Ｖの場合、垂直偏波の第１の衛星中間周波信号ＣＳ１−ＩＦ（Ｖ）が選択されて、トーン切換器３４１に供給され、＋１５Ｖの場合、水平偏波の第２の衛星中間周波信号ＣＳ１−ＩＦ（Ｈ）が選択され、トーン切換器３４１に供給される。
【００３８】
衛星信号切換器２８には、他に３つの切換スイッチ４２２、４２３、４２４及び制御部４４２、４４３、４４４も設けられている。これらも、供給先がそれぞれトーン切換スイッチ３４２、３４２、３４４に変更されている以外、＋１１Ｖの電圧が供給されるか、＋１５Ｖの電圧が供給されるかによって、垂直偏波の第１の衛星中間周波信号ＣＳ１−ＩＦ（Ｖ）または水平偏波の第２の衛星中間周波信号ＣＳ１−ＩＦ（Ｈ）を選択するので、詳細な説明は省略する。
【００３９】
衛星信号切換器３２も、第１の増幅部３０ａを介して供給された第３の衛星中間周波信号ＣＳ２−ＩＦ（Ｖ）を４分配する分配器４６と、第２の増幅部３０ｂを介して供給された第４の衛星中間周波信号ＣＳ２−ＩＦ（Ｈ）を４分配する４分配器４８とを有している。分配器４６の１分配出力と分配器４８の１分配出力とは、切換スイッチ４２１乃至４２４と同様な切換スイッチ５０１乃至５０４にそれぞれ供給されている。
【００４０】
これら切換スイッチ５０１乃至５０４には、制御部４４１乃至４４４と同様な制御部５２１乃至５２４が設けられている。そして、切換スイッチ４２１乃至４２４と同様に、切換スイッチ５０１乃至５０４は、トーン信号の有無にかかわらず、＋１１Ｖの電圧が供給されたとき、垂直偏波の第３の衛星中間周波信号ＣＳ２−ＩＦ（Ｖ）をトーン切換器３４１乃至３４４に供給し、トーン信号の有無にかかわらず、＋１５Ｖの電圧が供給されたとき、水平偏波の第４の衛星中間周波信号ＣＳ２−ＩＦ（Ｈ）をトーン切換器３４１乃至３４４に供給する。
【００４１】
トーン切換器３４１は、切換スイッチ５４１を有し、これの接点５４１ａには、衛星信号切換器２８の切換スイッチ４２１から第１または第２の衛星中間周波信号ＣＳ１−ＩＦ（Ｖ）またはＣＳ１−ＩＦ（Ｈ）が供給されている。また、切換スイッチ５４１の接点５４１ｂには、衛星信号切換器３２の切換スイッチ５０１から第３または第４の衛星中間周波信号ＣＳ２−ＩＦ（Ｖ）またはＣＳ２−ＩＦ（Ｈ）が供給されている。切換スイッチ５４１の接触子５４１ｃは、通常、接点５４１ａに接続されており、同軸ケーブル３６１を介して端子３８１に接続されている。
【００４２】
切換スイッチ５４１には、制御部５６１も設けられており、この制御部５６１は、＋１１Ｖであるか＋１５Ｖの電圧であるかにかかわらず、トーン信号が重畳されている否かを検出し、トーン信号が検出されると、接触子５４１ｃを接点５４１ａ側に接続した状態を維持し、トーン信号が検出されないと、接触子５４１ｃを接点５４１ｂ側に切り換える。即ち、トーン信号の有無によって、第１及び第２の通信衛星のいずれからの中間周波信号を選択するかを決定している。なお、＋１１Ｖまたは＋１５Ｖの電圧は、切換スイッチ５４１を介して衛星信号切換器２８の切換スイッチ４２１に供給され、さらに、この切換スイッチ４２１、４分配器４０、増幅器２６の第１の増幅部２６ａを介してコンバータ２０に供給されている。
【００４３】
他のトーン切換器３４２乃至３４４も、同様に切換スイッチ５４２乃至５４４と制御部５６２乃至５６４を有し、トーン信号の有無によって第１及び第２の通信衛星のいずれからの中間周波信号を選択するかを決定し、選択したものを同軸ケーブル３６２乃至３６４に供給しているので、詳細な説明は省略する。なお、４分配器４０、４２、４６、４８は、＋１１Ｖまたは＋１５Ｖの電圧をコンバータ２０、２４に供給する必要があるので、通電型のものが使用されている。
【００４４】
図５に増幅器２６の詳細なブロック図を示す。増幅器２６は、１つの筐体内に第１及び第２の増幅部２６ａ及び２６ｂを収容した２入力２出力の増幅器で、これら第１及び第２の増幅部２６ａ、２６ｂの入力側及び出力側には、それぞれ直流阻止コンデンサ６０、６１、６２、６３が取り付けられ、直流阻止コンデンサ６０、６１間に並列に高周波阻止コイル６４が、衛星信号切換器２８から供給された＋１１Ｖまたは＋１５Ｖの直流電圧を通過させるために設けられている。同様に、衛星信号切換器２８から供給された＋１１Ｖまたは＋１５Ｖの直流電圧を通過させるために、高周波阻止コイル６５が、直流阻止コンデンサ６２、６３間に並列に接続されている。即ち、これら第１及び第２の増幅部２６ａ、２６ｂは通電型とされている。なお、これら第１及び第２の増幅部２６ａ、２６ｂの動作電圧として、商用交流電圧を定電圧回路６６によって整流、平滑、安定化した直流電圧が供給されている。なお、増幅器３０も同様に構成されているので、それの詳細な説明は省略する。
【００４５】
上記の衛星信号受信システムでは、コンバータ２０、２４への直流動作電圧は各レシーバから供給したが、コンバータ２０を例えば＋１１Ｖの直流動作電圧が供給されたとき、第１及び第２の衛星中間周波信号ＣＳ１−ＩＦ（Ｖ）、ＣＳ−１ＩＦ（Ｈ）を出力するように構成し、コンバータ２２を例えば＋１１Ｖの直流動作電圧が供給されたとき、第３及び第４の衛星中間周波信号ＣＳ２−ＩＦ（Ｖ）、ＣＳ２−ＩＦ（Ｈ）を出力するように構成し、増幅器２６、３０内に＋１１Ｖの直流電圧を生成する電源回路を設け、これら電源回路からコンバータ２０、２４に常時＋１１Ｖの直流電圧を供給するように構成してもよい。この場合、衛星信号切換器２８、３２から増幅器２６、３０に直流電圧が供給されないように、これらの電圧をカットする。
【００４６】
上記の衛星信号受信システムでは、４つの端子３８１乃至３８４に第１乃至第４の衛星中間周波信号を供給するために、４台のトーン切換器３４１乃至３４４を設け、かつ衛星信号切換器２８、３２内の分配器４０、４２、４６、４８は、４分配器を使用したが、端子の数を増減させる場合には、その端子数に応じてトーン切換器の台数と、分配器４０、４２、４６、４８の分配数を変更すればよい。
【００４７】
また、上記の衛星信号受信システムでは、衛星放送とＵＨＦ、ＶＨＦの地上波も受信可能とするために、Ｕ・Ｖアンテナ６、衛星放送受信用アンテナ２、コンバータ４を設けたが、場合によってはこれらは不要である。また、ＣＡＴＶのヘッドエンド装置からＣＡＴＶ信号を混合器８に供給するようにすることもできる。なお、上記の衛星信号受信システムでは、増幅器２６、３０を設けたが、分配数が少なく各端子で充分な信号レベルが得られる場合には、増幅器２６、３０を除去してもよい。
【００４８】
また、上記衛星信号受信システムでは、トーン信号の有無によってトーン切換器を切り換えたが、レシーバから供給するトーン信号の周波数を、例えば３２ｋＨｚと５３ｋＨｚとに変更することによって、トーン切換器を切り換えてもよい。
【図面の簡単な説明】
【００４９】
【図１】本発明の１実施の形態の衛星信号受信システムのブロック図である。
【図２】図１の衛星信号受信システムのコンバータの入力信号と出力信号との周波数関係を示す図である。
【図３】図１の衛星信号受信システムで使用する制御信号を示す図である。
【図４】図１の衛星信号受信システムで使用する衛星信号切換器とトーン切換器の詳細なブロック図である。
【図５】図１の衛星信号受信システムで使用する増幅器の詳細なブロック図である。
【符号の説明】
【００５０】
２０  コンバータ（周波数変換手段）
２４  コンバータ（周波数変換手段）
２６  増幅器
２６ａ  第１の増幅部（第１の増幅手段）
２６ｂ  第２の増幅部（第２の増幅手段）
２８  衛星信号切換器（選択出力手段）
３２  衛星信号切換器（選択出力手段）
【図１】
2004229320.tif 000003
【図２】
2004229320.tif 000004
【図３】
2004229320.tif 000005
【図４】
2004229320.tif 000006
【図５】
2004229320.tif 000007